(57)【要約】【課題】省電力モード時においてもユーザが充電中か否か認識することができる携帯端末及び発光部制御方法を提供することを目的とする。【解決手段】バッテリが充電中である場合に動作モードを省電力モードに設定する制御部を備えた携帯端末であって、発光部を備え、前記制御部は、省電力モード時に発光部を発光させることを特徴とする。また、前記制御部は光検出部が検出した周囲輝度に応じて、前記発光部の発光輝度を調節することを特徴とする。さらに、前記制御部は音声検出部が検出した周囲音声の音量に応じて、前記発光部の発光輝度を調節することを特徴とする。【選択図】図２
2009033715.tif 000002
【特許請求の範囲】
【請求項１】
バッテリが充電中である場合に動作モードを省電力モードに設定する制御部を備えた携帯端末であって、
発光部を備え、
前記制御部は、省電力モード時に発光部を発光させることを特徴とする携帯端末。
【請求項２】
前記制御部は、省電力モード時において前記発光部を所定周期で点滅させることを特徴とする請求項１記載の携帯端末。
【請求項３】
前記制御部は、省電力モード時において前記発光部を設定可能な最低輝度で発光させることを特徴とする請求項１または２記載の携帯端末。
【請求項４】
光検出部を備え、
前記制御部は、省電力モード時において前記光検出部が検出した周囲輝度に応じて、前記発光部の発光輝度を調節することを特徴とする請求項１または２記載の携帯端末。
【請求項５】
音声検出部を備え、
前記制御部は、省電力モード時において前記音声検出部が検出した周囲音声の音量に応じて、前記発光部の発光輝度を調節することを特徴とする請求項１または２記載の携帯端末。
【請求項６】
焦電センサを備え、
前記制御部は、省電力モード時において前記焦電センサが検出した周囲の温度変化に応じて、前記発光部の発光輝度を調節することを特徴とする請求項１または２記載の携帯端末。
【請求項７】
前記発光部にＬＥＤ（Ｌｉｇｈｔ  Ｅｍｉｔｔｉｎｇ  Ｄｉｏｄｅ）を含むことを特徴とする請求項１〜６のいずれか一項記載の携帯端末。
【請求項８】
表示部を備え
前記発光部に表示部を含むことを特徴とする請求項１〜７のいずれか一項記載の携帯端末。
【請求項９】
前記表示部はＬＣＤ（Ｌｉｑｕｉｄ  Ｃｒｙｓｔａｌ  Ｄｉｓｐｌａｙ）であることを特徴とする請求項８記載の携帯端末。
【請求項１０】
前記表示部はＥＬ（Ｅｌｅｃｔｒｏｎｉｃ  Ｌｕｍｉｎｅｓｃｅｎｔ）ディスプレイであることを特徴とする請求項８記載の携帯端末。
【請求項１１】
前記制御部は、省電力モード時において前記表示部に単色かつ淡色の画面を表示させることを特徴とする請求項８〜１０記載のいずれか一項記載の携帯端末。
【請求項１２】
前記制御部は、バッテリが充電中であることに加え、周囲輝度が所定の基準輝度以下である場合に動作モードを省電力モードに設定することを特徴とする請求項１〜１１のいずれか一項記載の携帯端末。
【請求項１３】
筺体を折りたたむことが可能な携帯端末であって、
前記筺体の状態を検出する筐体状態検出部を備え、
前記制御部は、バッテリが充電中であることに加え、前記筐体状態検出部は筺体が閉状態であることを検出した場合に動作モードを省電力モードに設定することを特徴とする請求項１〜１２のいずれか一項記載の携帯端末。
【請求項１４】
バッテリの充電中である場合に動作モードが省電力モードに設定される携帯端末の発光部制御方法であって、省電力モード時において充電中を示す発光を発光部が行うことを特徴とする発光部制御方法。
【発明の詳細な説明】
【技術分野】
【０００１】
本発明は、携帯電話機やＰＨＳ（Ｐｅｒｓｏｎａｌ  Ｈａｎｄｙ−ｐｈｏｎｅ  Ｓｙｓｔｅｍ）端末等の携帯端末及
び発光部制御方法に関する。
【背景技術】
【０００２】
下記特許文献１には、携帯端末の周囲の輝度だけでなく他の条件を参照することで、就寝中と就寝中ではない場合の着信モードの切り替え判断を自動且つ正確に行う技術が開示されている。すなわち、この技術は、折りたたみ式の携帯端末が閉状態、かつ携帯端末の周囲輝度が基準輝度以下、かつ携帯端末が充電中であるという条件を満たす場合には、携帯端末を全ての報知手段をＯＦＦ制御し着信があっても着信動作を行わない就寝モードに設定するものである。
【特許文献１】特開２００６−３５２７６５号公報
【発明の開示】
【発明が解決しようとする課題】
【０００３】
ところで、上記各条件を満たす状態はユーザが携帯端末を使用しない状態である。すなわち、上記就寝モードは、全ての報知手段をＯＦＦ制御することによって、携帯端末を使用しない状態における携帯端末の電力消費を抑制するための動作モード（省電力モード）と考えることができる。
【０００４】
しかしながら、上記就寝モードでは、全ての報知手段がＯＦＦ制御されるので、携帯端末が充電状態にあるにも拘らず充電表示用ＬＥＤが消灯した状態となるため、ユーザは、携帯端末が充電中か否か認識することが出来ないという不都合がある。
【０００５】
本発明は、上述した事情を鑑みたものであり、省電力モード時においてもユーザが充電中か否か認識することができる携帯端末及び発光部制御方法を提供することを目的とする。
【課題を解決するための手段】
【０００６】
上記目的を達成するために、本発明では、携帯端末に係る第１の解決手段として、
バッテリが充電中である場合に動作モードを省電力モードに設定する制御部を備えた携帯端末であって、発光部を備え、前記制御部は、省電力モード時に発光部を発光させるという手段を採用する。
【０００７】
本発明では、携帯端末に係る第２の解決手段として、上記第１の解決手段において、前記制御部は、省電力モード時において前記発光部を所定周期で点滅させることを特徴とするという手段を採用する。
【０００８】
本発明では、携帯端末に係る第３の解決手段として、上記第１または第２の解決手段において、前記制御部は、省電力モード時において前記発光部を設定可能な最低輝度で発光させるという手段を採用する。
【０００９】
本発明では、携帯端末に係る第４の解決手段として、上記第１または第２の解決手段において、光検出部を備え、前記制御部は、省電力モード時において前記光検出部が検出した周囲輝度に応じて、前記発光部の発光輝度を調節するという手段を採用する。
【００１０】
本発明では、携帯端末に係る第５の解決手段として、上記第１または第２の解決手段において、音声検出部を備え、前記制御部は、省電力モード時において前記音声検出部が検出した周囲音声の音量に応じて、前記発光部の発光輝度を調節するという手段を採用する。
【００１１】
本発明では、携帯端末に係る第６の解決手段として、上記第１または第２の解決手段において、焦電センサを備え、前記制御部は、省電力モード時において前記焦電センサが検出した周囲の温度変化に応じて、前記発光部の発光輝度を調節するという手段を採用する。
【００１２】
本発明では、携帯端末に係る第７の解決手段として、上記第１〜第６のいずれかの解決手段において、前記発光部にＬＥＤ（Ｌｉｇｈｔ  Ｅｍｉｔｔｉｎｇ  Ｄｉｏｄｅ）を含むという手段を採用する。
【００１３】
本発明では、携帯端末に係る第８の解決手段として、上記第１〜第７のいずれかの解決手段において、前記発光部に表示部を含むという手段を採用する。
【００１４】
本発明では、携帯端末に係る第９の解決手段として、上記第８の解決手段において、前記表示部はＬＣＤ（Ｌｉｑｕｉｄ  Ｃｒｙｓｔａｌ  Ｄｉｓｐｌａｙ）であるという手段を採用する。
【００１５】
本発明では、携帯端末に係る第１０の解決手段として、上記第８の解決手段において、前記表示部はＥＬ（Ｅｌｅｃｔｒｏｎｉｃ  Ｌｕｍｉｎｅｓｃｅｎｔ）ディスプレイであるという手段を採用する。
【００１６】
本発明では、携帯端末に係る第１１の解決手段として、上記第８〜第１０のいずれかの解決手段において、前記制御部は、省電力モード時において前記表示部に単色かつ淡色の画面を表示させるという手段を採用する。
【００１７】
本発明では、携帯端末に係る第１２の解決手段として、上記第１〜第１１のいずれかの解決手段において、前記制御部は、バッテリが充電中であることに加え、周囲輝度が所定の基準輝度以下である場合に動作モードを省電力モードに設定するという手段を採用する。
【００１８】
本発明では、携帯端末に係る第１３の解決手段として、上記第１〜第１２のいずれかの解決手段において、筺体を折りたたむことが可能な携帯端末であって、前記筺体の状態を検出する筐体状態検出部を備え、前記制御部は、バッテリが充電中であることに加え、前記筐体状態検出部が筺体が閉状態であることを検出した場合に動作モードを省電力モードに設定するという手段を採用する。
【００１９】
また、本発明では、発光部制御方法に係る第１の解決手段として、バッテリの充電中である場合に動作モードが省電力モードに設定される携帯端末の発光部制御方法であって、
省電力モード時において充電中を示す発光を発光部が行うという手段を採用する。
【発明の効果】
【００２０】
本発明によれば、バッテリの充電中に動作モードを省電力モードに設定する制御部が、省電力モード時に発光部を最低輝度による点灯、または点滅させる為、省電力モード時においてバッテリが充電中であることをユーザへ報知することが出来ると共に当該報知に要する電力消費を抑制することが出来る。
【発明を実施するための最良の形態】
【００２１】
以下、図面を参照して、本発明の一実施形態について説明する。本実施形態は、携帯端末の１つであるＰＨＳ（Ｐｅｒｓｏｎａｌ  Ｈａｎｄｙ−ｐｈｏｎｅ  Ｓｙｓｔｅｍ）端末に関する。
【００２２】
最初に、図１の外観図を参照して本ＰＨＳ端末Ａの外観構成を説明する。なお、図１の（ａ）はメイン液晶ディスプレイ側の外観を、（ｂ）はサブ液晶ディスプレイ側の外観を示している。
【００２３】
この図１に示すように、本ＰＨＳ端末Ａは、表示側筐体１と操作側筐体２とがヒンジ構造３によって連結された折りたたみ形式のものである。
【００２４】
表示側筺体１は、メイン液晶ディスプレイ側にメイン液晶ディスプレイ４及び受話部５が設けられ、背面液晶ディスプレイ側に背面液晶ディスプレイ８、ＬＥＤ１１、カメラ９、スピーカ１０、及び充電端子１８が設けられている。また、表示側筺体１の上端にはアンテナ１２が設けられている。
【００２５】
操作側筺体２は、内部に各種電子部品及びバッテリ１３が収納され、操作部側に操作部６及び送話部７が設けられている。
【００２６】
次に、図２に示す機能ブロック図を参照して、本ＰＨＳ端末Ａの要部機能構成を説明する。本ＰＨＳ端末Ａは、図２に示すように、メイン液晶ディスプレイ４（ＬＣＤ）、操作部６、送話部７（音声検出部）、背面液晶ディスプレイ８（ＬＣＤ）、カメラ９（光検出部）、ＬＥＤ１１、バッテリ１３、通信部１４、筐体状態検出部１５、制御部１６、充電状態検出部１７から構成される。
【００２７】
メイン液晶ディスプレイ４、背面液晶ディスプレイ８及びＬＥＤ１１が発光部１９（本発明おける発光部）を構成し、メイン液晶ディスプレイ４及び背面液晶ディスプレイは本願発明におけるＬＣＤである。
【００２８】
なお、図２では、図1に示した構成要素と同一の構成要素には同一符号を付している。
【００２９】
メイン液晶ディスプレイ４及び背面液晶ディスプレイ８は、制御部１６から入力される制御信号に基づいて画像や文字からなる各種画面を表示する。また、メイン液晶ディスプレイ４及び背面液晶ディスプレイ８はバックライトを備え、制御部１６の制御の下、バックライトを点灯または点滅させる。
【００３０】
操作部６は、テンキー、方向キー、及び各種機能キー等の各種操作キーから構成されており、これらの操作キーに対するユーザの操作指示を受け付けて制御部１６に出力する。
【００３１】
送話部７はマイクを備え、このマイクを介して入力された音声を音声信号に変換して制御部１６に出力する。
【００３２】
カメラ９は、制御部１６の制御に基づいて、画像を撮像して制御部１６に出力する。このカメラ９は、例えばＣＣＤ（Ｃｈａｒｇｅ−Ｃｏｕｐｌｅｄ  Ｄｅｖｉｃｅｓ）方式またはＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）方式の受光素子を内蔵するデジタルカメラである。
【００３３】
ＬＥＤ１１は、制御部１６による制御の下に、音声着信やメールの受信をユーザに報知する。また、このＬＥＤ１１は、バッテリ１３が充電中であることを外部に報知する為に、制御部１６による制御の下に発光する。
【００３４】
バッテリ１３は、外部のＡＣアダプタから供給された電力を充電すると共に、当該電力を本ＰＨＳ端末Ａの各部に供給する。
【００３５】
通信部１４は、制御部１６による制御の下、アンテナ１２を介して外部の基地局と音声信号、制御信号及びデータ信号等の各種信号の送受信を行う。
【００３６】
筐体状態検出部１５は、本ＰＨＳ端末Ａの表示側筐体１と操作側筐体２との開閉状態を検出して制御部１６に出力を行う。この筐体状態検出部１５は、開閉状態を検出する為に、例えばホールセンサを用いる。
【００３７】
制御部１６は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）から構成される内部メモリ並びにメイン液晶ディスプレイ４及び操作部６等と信号の入出力をそれぞれ行うインタフェース回路等から構成されており、上記ＲＯＭに記憶された制御プログラム、操作部６が受け付ける操作指示及び通信部１４から入力される各種信号に基づいてＰＨＳ端末Ａの全体動作を制御する。この制御部１６の制御処理の詳細については、以下にＰＨＳ端末Ａの動作として説明する。
【００３８】
充電状態検出部１７は、外部のＡＣアダプタからバッテリ１３に供給される電力に基づいて充電状態を検出して制御部に出力する。
【００３９】
次に、上記構成のＰＨＳ端末Ａの要部動作について、図３に示すフローチャートを参照して詳しく説明する。なお、図３は、制御プログラム等に基づいて制御部１６が実行する発光部制御処理を示している。
【００４０】
最初に、制御部１６は、充電状態検出部１７が検出する充電状態に基づき、バッテリが充電中か否か判定し（ステップＳ１）、バッテリが充電中でないと判定した場合（ＮＯ）、バッテリ１３に充電が行われるまで待機し、バッテリ１３が充電中であると判定した場合（ＹＥＳ）、ＬＥＤ１１を通常輝度で点灯させる（ステップＳ２）。
【００４１】
制御部１６は、筐体状態検出部１５の検出結果に基づいて本ＰＨＳ端末Ａが閉状態にあるか否か判定し（ステップＳ３）、本ＰＨＳ端末Ａが閉状態ではないと判定した場合（ＮＯ）、動作モードを省電力モードに設定せず、ＬＥＤ１１を通常輝度で点灯させたままバッテリ１３の充電が完了したか否か判定し（ステップＳ４）、ステップＳ４において充電が完了したと判定した場合（ＹＥＳ）、バッテリ１３の充電完了を報知する為に、所定の色によってＬＥＤ１１を通常輝度で点灯させ（ステップＳ５）、ステップＳ４において充電が完了していないと判定した場合（ＮＯ）、ステップＳ５を実行せず、ステップＳ３に戻る。
【００４２】
制御部１６は、ステップＳ３において本ＰＨＳ端末Ａが閉状態であると判定した場合（ＹＥＳ）、カメラ９が撮影した周囲画像の輝度を所定のしきい値と比較することにより本ＰＨＳ端末Ａの周囲が暗い状態にあるか否か判定し（ステップＳ９）、本ＰＨＳ端末Ａの周囲が暗い状態にない場合（ＮＯ）、動作モードを省電力モードに設定せず、ＬＥＤ１１を通常輝度で点灯させたままステップＳ９を実行させ、本ＰＨＳ端末Ａの周囲が暗い状態にある場合（ＹＥＳ）、動作モードを省電力モードに設定し、ＬＥＤ１１の輝度を最低輝度まで下げると共に所定の周期で点滅させる。（ステップＳ１０）
そして、制御部１６は、本ＰＨＳ端末Ａの動作モードを省電力モードに設定した状態でバッテリ１３の充電が完了したか否か判定し（ステップＳ１１）、充電が完了していない場合（ＮＯ）、充電が完了するまで待機し、充電が完了した場合（ＹＥＳ）、ＬＥＤ１１を消灯させる（ステップＳ１２）。
【００４３】
以上説明したように、本実施形態によれば、ＰＨＳ端末Ａが閉状態かつ周囲が暗くかつＰＨＳ端末Ａが充電中である場合、制御部１６は、動作モードを省電力モードに設定すると共に、ＬＥＤ１１を最低輝度かつ所定周期で点滅させるので、省電力モードにおいてバッテリ１３が充電中であることをユーザに報知することができると共に当該報知に要する電力消費を抑制することができる。
【００４４】
次に、図４の外観図を参照して本ＰＨＳ端末Ａの外観構成を説明する。なお、図４の（ａ）はメイン液晶ディスプレイ側の外観を、（ｂ）はサブ液晶ディスプレイ側の外観を示している。
【００４５】
この図４に示すように、本ＰＨＳ端末Ａは、表示側筐体１と操作側筐体２とがヒンジ構造３によって連結された折りたたみ形式のものである。
【００４６】
表示側筺体１は、メイン液晶ディスプレイ側にメイン液晶ディスプレイ４及び受話部５が設けられ、背面液晶ディスプレイ側に背面液晶ディスプレイ８、ＬＥＤ１１、焦電センサ（赤外線検知部）２０、カメラ９、スピーカ１０、及び充電端子１８が設けられている。また、表示側筺体１の上端にはアンテナ１２が設けられている。
【００４７】
操作側筺体２は、内部に各種電子部品及びバッテリ１３が収納され、操作部側に操作部６及び送話部７が設けられている。
更に、ユーザが省電力モード動作中の携帯端末に近づいたとき、その携帯端末が充電中であり、かつ、ＬＥＤ１１の輝度が下げられていた場合、携帯端末に備えられた焦電センサ２０はユーザの体から発生される熱を感知して、制御部１６はＬＥＤ１１の輝度を上げる動作をする。この一連の動作により、ユーザは携帯端末の充電状態を容易に識別することが可能となる。
なお、焦電センサは、人（ユーザ）や動物などの温度をもつものから自然に放射されている赤外線による温度変化を検知するセンサであり、周囲の明るさに依存せずに検知を行うことができる検知手段である。焦電センサは、一般に人感センサとも呼ばれる。
焦電センサに用いられる焦電素子は約7〜20μmの波長範囲に感度を持ち使用して人体から放出される赤外線の波長（10μm程度）を検出することができる。
【００４８】
次に、図５に示す機能ブロック図を参照して、本ＰＨＳ端末Ａの要部機能構成を説明する。本ＰＨＳ端末Ａは、図２に示すように、メイン液晶ディスプレイ４（ＬＣＤ）、操作部６、送話部７（音声検出部）、背面液晶ディスプレイ８（ＬＣＤ）、カメラ９（光検出部）、ＬＥＤ１１、バッテリ１３、通信部１４、筐体状態検出部１５、制御部１６、充電状態検出部１７、焦電センサ（赤外線検出部）２０から構成される。
【００４９】
メイン液晶ディスプレイ４、背面液晶ディスプレイ８及びＬＥＤ１１が発光部１９（本発明おける発光部）を構成し、メイン液晶ディスプレイ４及び背面液晶ディスプレイは本願発明におけるＬＣＤである。
【００５０】
なお、図５では、図４に示した構成要素と同一の構成要素には同一符号を付している。
【００５１】
メイン液晶ディスプレイ４及び背面液晶ディスプレイ８は、制御部１６から入力される制御信号に基づいて画像や文字からなる各種画面を表示する。また、メイン液晶ディスプレイ４及び背面液晶ディスプレイ８はバックライトを備え、制御部１６の制御の下、バックライトを点灯または点滅させる。
【００５２】
操作部６は、テンキー、方向キー、及び各種機能キー等の各種操作キーから構成されており、これらの操作キーに対するユーザの操作指示を受け付けて制御部１６に出力する。
【００５３】
送話部７はマイクを備え、このマイクを介して入力された音声を音声信号に変換して制御部１６に出力する。
【００５４】
カメラ９は、制御部１６の制御に基づいて、画像を撮像して制御部１６に出力する。このカメラ９は、例えばＣＣＤ（Ｃｈａｒｇｅ−Ｃｏｕｐｌｅｄ  Ｄｅｖｉｃｅｓ）方式またはＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）方式の受光素子を内蔵するデジタルカメラである。
【００５５】
ＬＥＤ１１は、制御部１６による制御の下に、音声着信やメールの受信をユーザに報知する。また、このＬＥＤ１１は、バッテリ１３が充電中であることを外部に報知する為に、制御部１６による制御の下に発光する。
焦電センサ２０はユーザが省電力モード動作中の携帯端末に近づいたとき、その携帯端末が充電中であり、かつ、ＬＥＤ１１の輝度が下げられていた場合、携帯端末に備えられた焦電センサ２０はユーザの体から発生される熱を感知して、制御部１６はＬＥＤ１１の輝度を上げる動作をする。この一連の動作により、ユーザは携帯端末の充電状態を容易に識別することが可能となる。
【００５６】
バッテリ１３は、外部のＡＣアダプタから供給された電力を充電すると共に、当該電力を本ＰＨＳ端末Ａの各部に供給する。
【００５７】
通信部１４は、制御部１６による制御の下、アンテナ１２を介して外部の基地局と音声信号、制御信号及びデータ信号等の各種信号の送受信を行う。
【００５８】
筐体状態検出部１５は、本ＰＨＳ端末Ａの表示側筐体１と操作側筐体２との開閉状態を検出して制御部１６に出力を行う。この筐体状態検出部１５は、開閉状態を検出する為に、例えばホールセンサを用いる。
【００５９】
制御部１６は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）から構成される内部メモリ並びにメイン液晶ディスプレイ４及び操作部６等と信号の入出力をそれぞれ行うインタフェース回路等から構成されており、上記ＲＯＭに記憶された制御プログラム、操作部６が受け付ける操作指示及び通信部１４から入力される各種信号に基づいてＰＨＳ端末Ａの全体動作を制御する。
【００６０】
以上、本発明の一実施形態について説明したが、本発明は上記実施形態に限定されることなく、例えば以下のような変形が考えられる。
（１）上記実施形態では、省電力モード設定時に、ＬＥＤ１１を固定値として予め設定された最低輝度で発光させたが、本発明はこれに限定されない。例えば、カメラ９が検出する周囲輝度に応じて、ＬＥＤ１１の輝度を調節してもよい。具体的には、周囲輝度が所定しきい値以下であった場合、周囲輝度が所定しきい値に近い場合は、ＬＥＤ１１を最低輝度より少し明るい輝度で点滅させ、周囲輝度が所定しきい値から離れている場合は、ＬＥＤ１１を最低輝度で点滅させてもよい。
【００６１】
また、ＰＨＳ端末Ａの送話部７が備えるマイクを用いて周囲の音声を検出し、音声の音量に基づいて輝度の調節を行ってもよい
（２）上記実施形態では、ＰＨＳ端末Ａが折りたたみ式の場合について説明したが、本発明をストレートタイプの携帯端末にも適用しても良い。この場合、開閉状態を判定する処理（ステップＳ３）は省略される。
（３）上記実施形態では、ＬＥＤ１１を発光させることにより充電状態を外部に報知するようにしたが、ＬＥＤ１１に代えて、メイン液晶ディスプレイ４あるいは背面液晶ディスプレイ８が備えているバックライトを発光させることにより充電状態を外部に報知するようにしてもよい。
（４）上記実施形態では、発光部１９を本発明におけるＬＣＤであるメイン液晶ディスプレイ４及び背面液晶ディスプレイ８によって構成したが、本発明はこれに限定されない。例えば、ＥＬディスプレイにより構成されたメイン及び背面のディスプレイにより発光部１９を構成してもよい。
（５）上記の実施形態では、焦電センサを用いて説明したが、カメラ撮影に用いられる測距用の赤外線センサまたは近距離通信に用いられる赤外線検出部と兼用して構成してもよい。
【図面の簡単な説明】
【００６２】
【図１】本発明の一実施形態に係るＰＨＳ端末Ａの外観構成を示す図である。
【図２】本発明の一実施形態に係るＰＨＳ端末Ａの機能ブロック図である。
【図３】本発明の一実施形態に係るＰＨＳ端末Ａの発光部制御処理を示すフローチャートである。
【図４】本発明の一実施形態に係るＰＨＳ端末Ａの外観構成を示す図である。
【図５】本発明の一実施形態に係るＰＨＳ端末Ａの機能ブロック図である。
【符号の説明】
【００６３】
Ａ…ＰＨＳ端末
１…表示側筺体
２…操作側筺体
３…ヒンジ構造
４…メイン液晶ディスプレイ（ＬＣＤ）
５…受話部
６…操作部
７…送話部（音声検出部）
８…背面液晶ディスプレイ（ＬＣＤ）
９…カメラ（光検出部）
１０…スピーカ
１１…ＬＥＤ
１２…アンテナ
１３…バッテリ
１４…通信部
１５…筐体状態検出部
１６…制御部
１７…充電状態検出部
１８…充電端子
１９…発光部
２０…焦電センサ（赤外線検出部）
【図１】
2009033715.tif 000003
【図２】
2009033715.tif 000004
【図３】
2009033715.tif 000005
【図４】
2009033715.tif 000006
【図５】
2009033715.tif 000007